【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
記憶媒体が有する複数のフォルダ内に記憶された複数のファイルを印刷させる印刷制御装置であって、
前記複数のフォルダ中の１つのフォルダを選択可能なフォルダ一覧を表示するフォルダ一覧表示エリアと、選択しているフォルダ内に記憶されているファイルの一覧を表示するファイル一覧表示エリアとを有するウインドウを表示するウインドウ表示手段と、
前記ファイル一覧表示エリア内で印刷対象のファイルを指示する指示手段と、
前記指示手段により印刷対象となったファイルが１つ以上ある場合、当該指示されたファイルを有するフォルダの所在情報をフォルダリストに記憶する第１の記憶手段と、
前記指示手段により印刷対象となったファイルを特定する情報をファイルリストに記憶する第２の記憶手段と、
印刷を実行する場合、前記第２の記憶手段に記憶された前記ファイルリストに基づき、ファイルの印刷出力処理を行う印刷出力処理手段と、
前記第１の記憶手段に記憶されたフォルダリストに含まれるフォルダの一覧を表示するフォルダリスト表示手段と、
前記フォルダリスト表示手段で表示されているフォルダが指示された場合、当該フォルダリストの所在情報で特定されたフォルダを選択フォルダとし、前記ウインドウ表示手段の表示を更新させる更新手段と
を備えることを特徴とする印刷制御装置。
【請求項２】
前記ファイルは画像ファイルであって、
前記ファイル一覧表示エリア中には、画像ファイルに対応する縮小画像、及び、印刷部数、及び、印刷部数の増減を指示するシンボルを表示し、
前記第２の記憶手段は、印刷部数が“１”以上となったファイルのファイル名と印刷部数をファイルリストに記憶し、
前記第１の記憶手段は、フォルダの所在情報と、該当するファイルリストが有ればそのファイルリストへのポインタ、ファイルリストがない場合には空のポインタをフォルダリストに記憶することを特徴とする請求項１に記載の印刷制御装置。
【請求項３】
前記ウインドウ表示手段は、印刷対象として指定されたファイルに基づく印刷総数を所定位置に表示することを特徴とする請求項１又は２に記載の印刷制御装置。
【請求項４】
前記ウインドウ表示手段は、前記フォルダ一覧表示エリア及び前記ファイル一覧表示エリアで構成されるウインドウと、印刷媒体のサイズ及び種類を指示するためのウインドウと、レイアウトを指示するためのウインドウとを切り替え可能に表示することを特徴とする請求項１乃至３のいずれか１項に記載の印刷制御装置。
【請求項５】
更に、フォルダを順方向、或いは、逆方向に切り替える切り替え手段を備え、
前記更新手段は、前記切り替え手段で切り替え指示があった場合、前記フォルダリストに記憶されたフォルダの所在位置を順方向或いは逆方向に取得し、選択フォルダとして、前記ウインドウ表示手段に表示更新を指示することを特徴とする請求項１に記載の印刷制御装置。
【請求項６】
更に、前記フォルダリスト中の、指示されたフォルダの所在情報を削除する削除手段を備えることを特徴とする請求項１乃至５のいずれか１項に記載の印刷制御装置。
【請求項７】
前記削除手段は、削除対象となるフォルダ中のファイルが印刷対象として前記所定のファイルリストに記憶されている場合、当該ファイルを特定する情報を前記ファイルリストから削除することを特徴とする請求項６に記載の印刷制御装置。
【請求項８】
前記第１の記憶手段への前記所在情報の記憶は、印刷対象のファイルの指示の後、前記フォルダ一覧表示エリアに表示される他のフォルダが選択されたことに応じて行われることを特徴とする請求項１乃至７のいずれか１項に記載の印刷制御装置。
【請求項９】
記憶媒体が有する複数のフォルダ内に記憶された複数のファイルを印刷させる印刷制御装置の制御方法であって、
前記複数のフォルダ中の１つのフォルダを選択可能なフォルダ一覧を表示するフォルダ一覧表示エリアと、選択しているフォルダ内に記憶されているファイルの一覧を表示するファイル一覧表示エリアとを有するウインドウを表示するウインドウ表示工程と、
前記ファイル一覧表示エリア内で印刷対象のファイルを指示する指示工程と、
前記指示工程により印刷対象となったファイルが１つ以上ある場合、当該指示されたファイルを有するフォルダの所在情報をフォルダリストに記憶する第１の記憶工程と、
前記指示工程により印刷対象となったファイルを特定する情報をファイルリストに記憶する第２の記憶工程と、
印刷を実行する場合、前記第２の記憶工程で記憶された前記ファイルリストに基づき、ファイルの印刷出力処理を行う印刷出力処理工程と、
前記第１の記憶工程で記憶されたフォルダリストに含まれるフォルダの一覧を表示するフォルダリスト表示工程と、
前記フォルダリスト表示工程で表示されているフォルダが指示された場合、当該フォルダリストの所在情報で特定されたフォルダを選択フォルダとし、前記ウインドウ表示手段の表示を更新させる更新工程と
を備えることを特徴とする印刷制御装置の制御方法。
【請求項１０】
コンピュータに読み込ませ実行させることで、前記コンピュータを、記憶媒体が有する複数のフォルダ内に記憶された複数のファイルを印刷させる印刷制御装置として機能させるコンピュータプログラムであって、
前記複数のフォルダ中の１つのフォルダを選択可能なフォルダ一覧を表示するフォルダ一覧表示エリアと、選択しているフォルダ内に記憶されているファイルの一覧を表示するファイル一覧表示エリアとを有するウインドウを表示するウインドウ表示手段と、
前記ファイル一覧表示エリア内で印刷対象のファイルを指示する指示手段と、
前記指示手段により印刷対象となったファイルが１つ以上ある場合、当該指示されたファイルを有するフォルダの所在情報をフォルダリストに記憶する第１の記憶手段と、
前記指示手段により印刷対象となったファイルを特定する情報をファイルリストに記憶する第２の記憶手段と、
印刷を実行する場合、前記第２の記憶手段に記憶された前記ファイルリストに基づき、ファイルの印刷出力処理を行う印刷出力処理手段と、
前記第１の記憶手段に記憶されたフォルダリストに含まれるフォルダの一覧を表示するフォルダリスト表示手段と、
前記フォルダリスト表示手段で表示されているフォルダが指示された場合、当該フォルダリストの所在情報で特定されたフォルダを選択フォルダとし、前記ウインドウ表示手段の表示を更新させる更新手段
として機能させることを特徴とするコンピュータプログラム。
【請求項１１】
請求項１０に記載のコンピュータプログラムを格納したことを特徴とするコンピュータ可読記憶媒体。
【手続補正２】
【補正対象書類名】明細書
【補正対象項目名】００１２
【補正方法】変更
【補正の内容】
【００１２】
この課題を解決するため、例えば、本発明の印刷制御装置は以下の構成を備える。すなわち、
記憶媒体が有する複数のフォルダ内に記憶された複数のファイルを印刷させる印刷制御装置であって、
前記複数のフォルダ中の１つのフォルダを選択可能なフォルダ一覧を表示するフォルダ一覧表示エリアと、選択しているフォルダ内に記憶されているファイルの一覧を表示するファイル一覧表示エリアとを有するウインドウを表示するウインドウ表示手段と、
前記ファイル一覧表示エリア内で印刷対象のファイルを指示する指示手段と、
前記指示手段により印刷対象となったファイルが１つ以上ある場合、当該指示されたファイルを有するフォルダの所在情報をフォルダリストに記憶する第１の記憶手段と、
前記指示手段により印刷対象となったファイルを特定する情報をファイルリストに記憶する第２の記憶手段と、
印刷を実行する場合、前記第２の記憶手段に記憶された前記ファイルリストに基づき、ファイルの印刷出力処理を行う印刷出力処理手段と、
前記第１の記憶手段に記憶されたフォルダリストに含まれるフォルダの一覧を表示するフォルダリスト表示手段と、
前記フォルダリスト表示手段で表示されているフォルダが指示された場合、当該フォルダリストの所在情報で特定されたフォルダを選択フォルダとし、前記ウインドウ表示手段の表示を更新させる更新手段とを備える。